(57)【特許請求の範囲】
【請求項１】
モバイル通信装置であって、
パケット交換(ＰＳ)サービスだけをサポートする第一ネットワーク、あるいは、回路交換
方式の(ＣＳ)サービスをサポートする第二ネットワーク、との間で、ワイヤレス送受信を
実行する無線トランシーバ、および、コントローラを備え、
前記コントローラは、
前記モバイル通信装置から生じる、あるいは、前記モバイル通信装置で終了する、回線交換フォールバック(ＣＳＦＢ)関連の呼び出しの要求の受信又はページング前に、トラッキングエリアアップデート(ＴＡＵ)工程を開始し、
前記ＣＳＦＢ関連の呼び出しが保留であるとき、前記ＴＡＵ工程の拒絶メッセージを、前記無線トランシーバにより、前記第一ネットワークから受信し、
前記ＴＡＵ工程の拒絶メッセージが、９、１０、あるいは、４０の原因値を有する拒絶理由を含むか否か判断し、
前記拒絶理由を含む前記ＴＡＵ工程の拒絶メッセージに応答して、前記第二ネットワークを選択して、前記第一ネットワークに再アタッチしない状況下で、前記無線トランシーバにより、前記ＣＳＦＢ関連の呼び出しを実行する、
ように構成され、
前記原因値の９は、前記モバイル通信装置のユーザー装置(ＵＥ)識別子が、前記第一ネ
ットワークにより導出されないことを示し、
前記原因値の１０は、前記モバイル通信装置が、前記第一ネットワークから、デタッチ
されることを示し、
前記原因値の４０は、進化型パケットシステム(ＥＰＳ)ベアラコンテキストが起動され
ないことを示すことを特徴とするモバイル通信装置。
【請求項２】
モバイル通信装置により実行される回線交換フォールバック (ＣＳＦＢ)呼設定時間を
減少させる方法であって、
前記方法は、
前記モバイル通信装置から生じる、あるいは、前記モバイル通信装置で終了する、回線交換フォールバック(ＣＳＦＢ)関連の呼び出しの要求の受信又はページング前に、トラッキングエリアアップデート(ＴＡＵ)工程を開始する工程、
前記ＣＳＦＢ関連の呼び出しが保留であるとき、パケット交換(ＰＳ)サービスだけをサポートする第一ネットワークから、前記ＴＡＵ工程の拒絶メッセージを受信する工程と、
前記ＴＡＵ工程の拒絶メッセージが、９、１０、あるいは、４０の原因値を有する拒絶理由を含むか否かを判断する工程、および、
前記拒絶理由を含む前記ＴＡＵ工程の拒絶メッセージに応答して、回路交換方式の(ＣＳ)サービスをサポートする第二ネットワークを選択して、前記第一ネットワークに再アタッチすることなく、前記ＣＳＦＢ関連の呼び出しを実行する工程、
を有し、
前記原因値の９は、前記モバイル通信装置のユーザー装置(ＵＥ)識別子が、前記第一ネ
ットワークにより導出されないことを示し、
前記原因値の１０は、前記モバイル通信装置が、前記第一ネットワークから、デタッチ
されることを示し、
前記原因値の４０は、進化型パケットシステム(ＥＰＳ)ベアラコンテキストが起動され
ないことを示すことを特徴とする方法。
【発明の詳細な説明】
【技術分野】
【０００１】
本出願は、２０１５年４月３０日に出願された米国仮出願第６２／１５４，９８８号の優先権を主張するものであり、参照によりその全体が本願に組み込まれる。本出願は、２０１５年５月１３日に出願された米国仮出願第６２／１６０，８２６号の優先権を主張するものであり、参照によりその全体が本願に組み込まれる。
【０００２】
本発明は、回線交換フォールバック(ＣＳＦＢ)に関するものであって、とくに、ＣＳＦＢ呼設定時間を減少させる装置、および、方法に関するものである。
【背景技術】
【０００３】
ユビキタスコンピューティング、および、ネットワーク形成の要求の高まりに伴い、汎欧州デジタル移動電話方式(ＧＳＭ)技術、汎用パケット無線サービス(ＧＰＲＳ)技術、エンハンストデータレートフォーグローバルエボリューション(ＥＤＧＥ)技術、広帯域符号分割多重アクセス(ＷＣＤＭＡ)技術、符号分割多重アクセス２０００(ＣＤＭＡ２０００)１ｘ技術、時分割同期符号分割多重アクセス(ＴＤ-ＳＣＤＭＡ)技術、ワイマックス(ＷｉＭＡＸ)技術、ロングタームエボリューション(ＬＴＥ)技術、時分割ＬＴＥ(ＴＤ-ＬＴＥ)技術、および、ＬＴＥ-アドバンスド(ＬＴＥ-Ａ)技術等を含む各種無線アクセス技術(ＲＡＴ)が発展している。
【０００４】
ユーザーに、便利性とフレキシブル性を提供するため、現在、多くのユーザー装置(ＵＥ)は、少なくとも二個のＲＡＴをサポートする。このようなＵＥは、マルチ-ＲＡＴ ＵＥと称される。ＷＣＤＭＡ技術とＬＴＥ技術両方をサポートするＵＥを例とすると、選択的に、ＷＣＤＭＡ技術、あるいは、ＬＴＥ技術を用いて、無線サービスを得る。通常、無線サービスが、二個のサービスネットワークから利用可能であるとき、ＵＥは、ＷＣＤＭＡネットワークではなく、ＬＴＥネットワークを選択する。ＬＴＥネットワークは、ＷＣＤＭＡネットワークより、更に高いデータスループットの無線サービスを提供する可能性があるからである。しかし、多くの状況下で、回路交換フォールバック(ＣＳＦＢ)と称される技術は、既にＬＴＥネットワークにキャンプオン(camped on)されているマルチ-ＲＡＴ ＵＥに用いられて、アクセスのため、ＷＣＤＭＡネットワーク、特に、回路交換方式(ＣＳ)のサービス、たとえば、ＣＳ呼び出しに切り替える。ＣＳＦＢ技術を用いたＣＳ呼び出しは、通常、ＣＳＦＢ呼び出しと称される。
【０００５】
３ＧＰＰ(3rd Generation Partnership Project)技術仕様書(ＴＳ) 24.301, v13.1.0によれば、結合トラッキングエリアアップデート(ＴＡＵ)工程期間中、ＬＴＥネットワークにキャンプオンされたマルチ-ＲＡＴ ＵＥが、特定の拒絶理由を有するTRACKING AREA UPDATE REJECT メッセージを受信するとき、マルチ-ＲＡＴ ＵＥは、ＬＴＥネットワークと、アタッチ（Ａｔｔａｃｈ）工程を実行しなければならない。最悪の場合、アタッチ工程が完成していない場合、マルチ-ＲＡＴ ＵＥは、アタッチ工程のエントリーを４回行わなければならず、且つ、アタッチ工程の各エントリーの前、保護期間(guard period)を待つ必要がある。つまり、マルチ-ＲＡＴ ＵＥは、長い時間を費やして、ＬＴＥネットワークとのアタッチ工程を再試行する。しかし、結合ＴＡＵ工程期間であるが、TRACKING AREA UPDATE REJECT メッセージの前に、ＵＥがＣＳＦＢ呼び出しの一要求を受信する状況が生じ得る。この場合、アタッチ工程の失敗により、ＣＳＦＢ呼び出しの要求の処理がひどく遅延する。
【発明の概要】
【発明が解決しようとする課題】
【０００６】
上述の問題を解決するため、本発明は、なるべく早くＣＳサービスを提供することができる別のネットワークを選択して、正常なアタッチサービスを提供することができないＰＳオンリーネットワーク中でアタッチ工程を実行することにより生じる遅延を防止することを目的とする。
【課題を解決するための手段】
【０００７】
本発明の一実施形態において、無線トランシーバ、および、コントローラを有するモバイル通信装置が提供される。無線トランシーバは、ＰＳサービスだけをサポートする第一ネットワーク、あるいは、ＣＳサービスをサポートする第二ネットワーク、との間でワイヤレス送受信を実行する。モバイル通信装置から生じる、あるいは、モバイル通信装置で終了する回線交換フォールバック(ＣＳＦＢ)関連の呼び出しが保留であるとき、コントローラは、無線トランシーバにより、第一ネットワークから、トラッキングエリアアップデート(ＴＡＵ)工程の拒絶メッセージを受信し、拒絶メッセージが所定の拒絶理由を含むか否か判断するとともに、所定の拒絶理由を含む拒絶メッセージに対応して、第二ネットワークを選択して、第一ネットワークに再アタッチする必要がない状況下で、無線トランシーバにより、ＣＳＦＢ関連の呼び出しを実行する。
【０００８】
本発明の別の実施形態において、モバイル通信装置により実行されるＣＳＦＢ呼設定時間の減少方法が提供される。本方法は、モバイル通信装置から生じる、あるいは、モバイル通信装置で終了するＣＳＦＢ関連の呼び出しが、保留であるとき、ＰＳサービスだけをサポートする第一ネットワークから、ＴＡＵ工程の拒絶メッセージを受信する工程と、拒絶メッセージが所定の拒絶理由を有するか否か判断する工程、および、所定の拒絶理由を含む拒絶メッセージに対応して、ＣＳサービスをサポートする第二ネットワークを選択して、第一ネットワークに再アタッチする必要がない状況下で、ＣＳＦＢ関連の呼び出しを実行する工程、を有する。
【０００９】
本発明のさらに別の実施形態によると、無線トランシーバ、および、コントローラを有するモバイル通信装置が提供される。無線トランシーバは、ＰＳサービスだけをサポートする第一ネットワーク、あるいは、ＣＳサービスをサポートする第二ネットワークとのワイヤレス伝送と受信を実行する。コントローラは、モバイル通信装置から生じる、あるいは、モバイル通信装置で終了するＣＳＦＢ関連の呼び出しが保留であるとき、無線トランシーバにより、第一ネットワークから、ＴＡＵ工程の拒絶メッセージを受信し、拒絶メッセージが、９、１０、あるいは、４０の拒絶理由値を有するか判断するとともに、拒絶メッセージが、９、１０、あるいは、４０の拒絶理由値を含むのに対応して、第二ネットワークを選択して、第一ネットワークに再アタッチする必要がない状況下で、無線トランシーバにより、ＣＳＦＢ関連の呼び出しを実行する。
【００１０】
ＣＳＦＢ呼設定時間を減少させるモバイル通信装置、および、方法の特定の実施形態の以下の記述を参照すれば、当業者は、本発明のその他の態様、および、特徴を理解することができる。 
【図面の簡単な説明】
【００１１】
【図１】本発明の一実施形態による無線通信環境を説明するブロック図である。
【図２】本発明の一実施形態によるモバイル通信装置１１０を説明するブロック図である。
【図３】本発明の一実施形態によるＣＳＦＢ呼設定時間を減少させる方法を説明するフローチャートである。
【図４】本発明の一実施形態による結合ＴＡＵ工程におけるＭＯ ＣＳＦＢ、あるいは、１ｘＣＳＦＢ呼び出しの処理を説明するメッセージシーケンスチャートである。
【図５】本発明の別の実施形態による結合ＴＡＵ工程におけるＭＯ ＣＳＦＢ、あるいは、１ｘＣＳＦＢ呼び出しの処理を説明するメッセージシーケンスチャートである。
【図６】本発明の一実施形態による結合ＴＡＵ工程におけるＭＴ ＣＳＦＢ呼び出しの処理を説明するメッセージシーケンスチャートである。
【図７】本発明の別の実施形態による結合ＴＡＵ工程におけるＭＴ ＣＳＦＢ呼び出しの処理を説明するメッセージシーケンスチャートである。
【図８】本発明のさらに別の実施形態による結合ＴＡＵ工程におけるＭＴ ＣＳＦＢ呼び出しの処理を説明するメッセージシーケンスチャートである。
【図９】本発明の一実施形態による結合ＴＡＵ工程におけるＭＴ １ｘＣＳＦＢ呼び出しの処理を説明するメッセージシーケンスチャートである。
【発明を実施するための形態】
【００１２】
本発明は次の説明を添付図面と引き合わせながら読むとよく理解できる。以下の記述は、本発明の一般原則を説明する目的であり、本発明を限定するものではない。理解できることは、実施形態は、ソフトウェア、ハードウェア、ファームウェア、あるいは、それらの任意の組み合わせで実現されることである。３ＧＰＰ規格を用いて、本発明の主旨を教示するが、本発明を限定するものではない。
【００１３】
図１は、本発明の一実施形態による無線通信環境を説明するブロック図である。無線通信環境１００は、モバイル通信装置１１０、および、二個のサービスネットワーク１２０と１３０を有する。モバイル通信装置１１０は、サービスネットワーク１２０と１３０により用いられる携帯電話技術をサポートする携帯電話、パネルＰＣ、ノート型ＰＣ、あるいは、任意のポータブルコンピュータ装置である。あるいは、モバイル通信装置１１０は、モバイルサービスを得るのに用いられるコンピュータホスト、ノードブック、あるいは、パネルＰＣの外部データカードである。モバイル通信装置１１０は、サービスネットワーク１２０と１３０のひとつ、あるいは、二つと無線通信して、回路交換方式 (ＣＳ)のサービス、および／または、パケット交換(ＰＳ)サービスを有するモバイルサービスを獲得し、ＣＳサービスは、音声電話サービス、ショートメッセージサービス(ＳＭＳ)等を含み、ＰＳサービスは、ボイスオーバーＩＰ(VoIP)サービス、および、データサービス、たとえば、Ｅメール送信、ウェブ閲覧、ファイルアップロード／ダウンロード、インスタントメッセージ、ストリーミングビデオ等を含む。
【００１４】
サービスネットワーク１２０と１３０は、それぞれ、各自ＲＡＴをサポートする。とくに、サービスネットワーク１２０は、ＰＳサービスだけをサポートするアドバンスドネットワークであり、サービスネットワーク１３０は、少なくともＣＳサービスをサポートするレガシーネットワークである。たとえば、サービスネットワーク１２０は、ＬＴＥベースネットワーク、あるいは、ＰＳサービスベースネットワーク、たとえば、ＬＴＥネットワーク、ＬＴＥ-Ａネットワーク、ＴＤ-ＬＴＥネットワーク、５Ｇネットワーク、あるいは、次世代ネットワークであり、サービスネットワーク１３０は、ＧＳＭネットワーク、ＧＰＲＳネットワーク、ＥＤＧＥネットワーク、ＷＣＤＭＡネットワーク、あるいは、ＣＤＭＡ２０００ １ｘ ネットワークである。
【００１５】
サービスネットワーク１２０と１３０は、それぞれ、アクセスネットワーク、および、コアネットワークを有する。サービスネットワーク１２０をＬＴＥ／ＬＴＥ-Ａ／ＴＤ-ＬＴＥネットワークの例とすると、アクセスネットワークは、少なくとも一つの進化型ＮＢ(ｅＮＢ)を含む発展型ユニバーサル地上波無線アクセスネットワーク(Ｅ-ＵＴＲＡＮ)であり、コアネットワークは、少なくともホーム加入者サーバ(ＨＳＳ)、モビリティ管理エンティティ(ＭＭＥ)、サービングゲートウェイ(Ｓ-ＧＷ)、および、パケットデータネットワークゲートウェイ(ＰＤＮ-ＧＷ、あるいは、Ｐ-ＧＷ)を含む進化型パケットコア(ＥＰＣ)である。サービスネットワーク１３０をＧＳＭ／ＧＰＲＳ／ＥＤＧＥ／ＷＣＤＭＡネットワークの例とすると、アクセスネットワークは、少なくともひとつのベーストランシーバ基地局(ＢＴＳ)、および、基地局制御装置(ＢＳＣ)を有するＧＳＭ ＥＤＧＥ無線アクセスネットワーク(ＧＥＲＡＮ)であるか、あるいは、少なくともひとつのＮｏｄｅ Ｂ、および、無線ネットワークコントローラ(ＲＮＣ)を有するＵＴＲＡＮであり、コアネットワークは、ＧＰＲＳコアで、少なくともひとつの移動通信交換局(ＭＳＣ)、ホームロケーションレジスタ(ＨＬＲ)、サービングＧＰＲＳサポートノード(ＳＧＳＮ)、および、ゲートウェイＧＰＲＳサポートノード(ＧＧＳＮ)を有する。 
【００１６】
あるいは、サービスネットワーク１３０をＣＤＭＡ２０００ １ｘ ネットワークの例とすると、アクセスネットワークは少なくともひとつのＢＴＳ、および、ＢＳＣを有し、コアネットワークは、少なくともひとつのＭＳＣ、ＨＬＲ、パケットデータサービングノード(ＰＤＳＮ)、および、ホームエージェント(ＨＡ)を有する。
【００１７】
図２は、本発明の一実施形態によるモバイル通信装置１１０を説明するブロック図である。モバイル通信装置１１０は、無線トランシーバ１０、コントローラ２０、ストレージデバイス３０、ディスプレイデバイス４０、および、入力装置５０を有する。無線トランシーバ１０は、サービスネットワーク１２０と１３０とのワイヤレス伝送と受信を実行する。無線トランシーバ１０は、無線周波数(ＲＦ)装置１１、ベースバンド処理装置１２、および、アンテナ１３を有する。ベースバンド処理装置１２は、ベースバンド信号処理を実行するとともに、サブキャリア識別カード(図示しない)とＲＦ装置１１間の通信を制御する。ベースバンド処理装置１２は、複数のハードウェア素子を有して、アナログデジタル変換(ＡＤＣ)／デジタルアナログ変換(ＤＡＣ)、ゲイン調節、変調／復調、符号化／復号等を含むベースバンド信号処理を実行する。ＲＦ装置１１は、アンテナ１３によりＲＦ無線信号を受信するとともに、受信したＲＦ無線信号を、ベースバンド処理装置１２により処理されるベースバンド信号に変換する、あるいは、ベースバンド処理装置１２から、ベースバンド信号を受信するとともに、受信したベースバンド信号を、後にアンテナ１３により送信されるＲＦ無線信号に変換する。ＲＦ装置１１は、さらに、複数のハードウェアデバイスを含んで、無線周波数変換を実行する。たとえば、ＲＦ装置１０は、ミキサーを有して、ベースバンド信号とサポートされるセルラー技術の無線周波数中で発振するキャリアとを掛ける。ここで、無線周波数は、ＧＳＭ／ＧＰＲＳ／ＥＤＧＥ技術で用いられる９００ＭＨｚ、１８００ＭＨｚ、又は、１９００ＭＨｚ、あるいは、ＷＣＤＭＡ技術で用いられる９００ＭＨｚ、１９００ＭＨｚ、又は、２１００ＭＨｚ、あるいは、ＣＤＭＡ２０００ １ｘ 技術で用いられる４５０ＭＨｚ、８００ＭＨｚ、又は、１９００ＭＨｚ、あるいは、ＬＴＥ／ＬＴＥ-Ａ／ＴＤ-ＬＴＥ技術で用いられる９００ＭＨｚ、２１００ＭＨｚ、又は、２．６ＧＨｚ、あるいは、用いられるＲＡＴに基づく別の無線周波数である。
【００１８】
コントローラ２０は、汎用目的プロセッサ、マイクロコントロールユニット(ＭＣＵ)、アプリケーションプロセッサ、デジタルシグナルプロセッサ(ＤＳＰ)などであり、無線トランシーバ１０を制御して、サービスネットワーク１２０及び１３０と無線通信し、ストレージデバイス３０にデータを保存、および、ストレージデバイス３０からデータを回収し、一連のフレームデータ(つまり、テキストメッセージ、グラフィック、イメージ等で表す)をディスプレイデバイス４０に送信し、入力装置５０から信号を受信する。とくに、コントローラ２０は、無線トランシーバ１０、ストレージデバイス３０、ディスプレイデバイス４０、および、入力５０の上述の操作を調和させて、ＣＳＦＢ呼設定時間を減少させる方法を実行する。
【００１９】
別の実施形態において、コントローラ２０は、ベースバンド処理装置１２に組み込まれて、ベースバンドプロセッサとなる。
【００２０】
ストレージデバイス３０は、たとえば、フラッシュメモリ、あるいは、不揮発性ＲＡＭ(ＮＶＲＡＭ)等のメモリ、あるいは、たとえば、ハードディスク、あるいは、磁気テープ等の磁気ストレージデバイス、あるいは、光学ディスク、あるいは、それらの任意の組み合わせで、レガシーネットワーク(たとえば、サービスネットワーク１３０)のセル情報、および、指令、および/または、アプリケーションのプログラムコード、および／または、通信プロトコルを保存する。
【００２１】
ディスプレイデバイス４０は、ディスプレイ機能を提供する液晶ディスプレイ(ＬＣＤ)、発光ダイオード(ＬＥＤ)ディスプレイ、あるいは、電子ペーパーディスプレイ(ＥＰＤ)などである。あるいは、ディスプレイ３０は、さらに、上、あるいは、下に設置される一つ以上のタッチセンサを有する。タッチセンサは、物体(たとえば、指や尖筆)の接触（touch又はcontact）、あるいは、接近、を感知するために用いられる。
【００２２】
入力装置５０は、一つ以上のボタン、キーボード、マウス、タッチパッド、ビデオカメラ、マイクロフォン、および/または、スピーカー等であり、ユーザーと相互作用するマンマシンインターフェース(ＭＭＩ)となる。
【００２３】
注意すべきことは、図２の実施形態中で記述される要素は、説明目的のためであり、本発明を限定するものではないことである。
【００２４】
図３は、本発明の一実施形態によるＣＳＦＢ呼設定時間を減少する方法を説明するフローチャートである。この実施形態において、方法は、モバイル通信装置、たとえば、モバイル通信装置１１０等の装置に適用される。初めに、モバイル通信装置から生じる、あるいは、モバイル通信装置で終了するＣＳＦＢ関連の呼び出しが保留であるとき、モバイル通信装置は、ＰＳサービスだけをサポートする第一ネットワークから、ＴＡＵ工程の拒絶メッセージを受信する(工程Ｓ３１０)。具体的に、第一ネットワークは、たとえば、ＬＴＥネットワーク、ＬＴＥ-Ａネットワーク、あるいは、ＴＤ-ＬＴＥネットワーク等のＬＴＥベースネットワークであり、拒絶メッセージは、TRACKING AREA UPDATE REJECT メッセージである。ＣＳＦＢ関連の呼び出しの保留は、それは、ＴＡＵ工程中であるが、拒絶メッセージが受信される前に、ＣＳＦＢ関連の呼び出しに対する要求がすでに初期化されている状況を参照する。 
【００２５】
さらにはっきりとさせるため、モバイル通信装置から生じるＣＳＦＢ関連の呼び出しは、モバイル起源の(ＭＯ)ＣＳＦＢ関連の呼び出しと称され、モバイル通信装置で終了するＣＳＦＢ関連の呼び出しは、モバイル終点(ＭＴ)ＣＳＦＢ関連の呼び出しと称される。
【００２６】
一実施形態において、ＣＳＦＢ関連の呼び出しは、ＣＳＦＢ呼び出し、あるいは、ＣＳＦＢ非常呼集である。別の実施形態において、ＣＳＦＢ関連の呼び出しは、１ｘＣＳＦＢ呼び出し、あるいは、１ｘＣＳＦＢ 非常呼集である。
【００２７】
次に、モバイル通信装置は、拒絶メッセージが所定の拒絶理由を有するかどうか判断する(工程Ｓ３２０)。特に、所定の拒絶理由は、９、１０、あるいは、４０の原因値を有し、それぞれ、モバイル通信装置が、第一ネットワークからＰＳサービスを得ることができない、および／または、モバイル通信装置は、直ちに、アタッチ工程を実行する必要があることを示す。
【００２８】
一実施形態において、原因値が９の拒絶理由は、モバイル通信装置のＵＥ識別子が、第一ネットワークにより導出できないことを示す。
【００２９】
別の実施形態において、原因値が１０の拒絶理由は、モバイル通信装置が、第一ネットワークから暗にデタッチされることを示す。
【００３０】
さらに別の実施形態において、原因値が４０の拒絶理由は、進化型パケットシステム(ＥＰＳ)ベアラコンテキストが起動されないことを示す。 
【００３１】
その後、所定の拒絶理由を含む拒絶メッセージに応答して、モバイル通信装置は、ＣＳサービスをサポートする第二ネットワークを選択して、第一ネットワークに再アタッチする必要がない状況下で、ＣＳＦＢ関連の呼び出しを実行して(工程Ｓ３３０)、本方法が終了する。たとえば、第二ネットワークは、ＧＳＭネットワーク、ＧＰＲＳネットワーク、ＥＤＧＥネットワーク、ＷＣＤＭＡネットワーク、あるいは、ＣＤＭＡ２０００ １ｘ ネットワークである。
【００３２】
また、所定の拒絶理由を含まない拒絶メッセージ(すなわち、拒絶理由は９、１０、および、４０以外の原因値を有する)に対応して、モバイル通信装置は、第一ネットワークのアタッチ工程を実行して(工程Ｓ３４０)、本方法が終了する。
【００３３】
図４は、本発明の一実施形態による結合ＴＡＵ工程におけるＭＯ ＣＳＦＢ、あるいは、１ｘＣＳＦＢ呼び出しの処理を説明するメッセージシーケンスチャートである。この実施形態において、サービスネットワーク１２０は、ＬＴＥベースネットワークであり、サービスネットワーク１３０は、ＧＳＭ/ＧＰＲＳ/ＥＤＧＥ/ＷＣＤＭＡ/ＣＤＭＡ２０００ １ｘ ネットワークである。初めに、モバイル通信装置１１０が、サービスネットワーク１２０を介して、サービスネットワーク１２０と１３０とに同時に登録されることを意味する“結合ＥＰＳ/ＩＭＳＩアタッチ”、あるいは、“ＥＵＴＲＡＮアタッチ ＋ １ｘＲＴＴ ＣＳ登録”の結合アタッチタイプを利用して、モバイル通信装置１１０をサービスネットワーク１２０に登録する、 (工程４１０)。次に、モバイル通信装置１１０は、TRACKING AREA UPDATE REQUEST メッセージを、サービスネットワーク１２０に送信することにより、結合ＴＡＵ工程を開始する(工程Ｓ４２０)。
【００３４】
サービスネットワーク１２０からの任意の応答を受信する前、モバイル通信装置１１０は、ＣＳＦＢ、あるいは、１ｘＣＳＦＢ呼び出しを生成する一要求を受信する(工程Ｓ４３０)。その後、モバイル通信装置１１０は、サービスネットワーク１２０から、値＃９、＃１０、あるいは、＃４０の拒絶理由を有するTRACKING AREA UPDATE REJECT メッセージを受信する(工程Ｓ４４０)。
【００３５】
値＃９、＃１０、あるいは、＃４０の拒絶理由のため、モバイル通信装置１１０は、サービスネットワーク１２０で留まってアタッチ工程を実行する代わりに、サービスネットワーク１３０を選択して、ＣＳＦＢ、あるいは、１ｘＣＳＦＢ呼び出しを実行する(工程Ｓ４５０)。
【００３６】
その後、モバイル通信装置１１０は、サービスネットワーク１２０と１３０とのＣＳＦＢ、あるいは、１ｘＣＳＦＢのコールフローを実行する(工程Ｓ４６０)。注意すべきことは、ＣＳＦＢ、あるいは、１ｘＣＳＦＢ呼び出しのコールフローは、本発明の範囲を超過するので、ここでは、簡潔にするために、ＣＳＦＢ、あるいは、１ｘＣＳＦＢ呼び出しのコールフローの詳細な記述を省略するとともに、3GPP TS 23.272, v13.1.0を参照する。
【００３７】
図５は、本発明の別の実施形態による結合ＴＡＵ工程におけるＭＯ ＣＳＦＢ、あるいは、１ｘＣＳＦＢ呼び出しの処理を説明するメッセージシーケンスチャートである。この実施形態において、サービスネットワーク１２０はＬＴＥベースネットワークであり、サービスネットワーク１３０は、ＧＳＭ/ＧＰＲＳ/ＥＤＧＥ/ＷＣＤＭＡ/ＣＤＭＡ２０００ １ｘ ネットワークである。初めに、モバイル通信装置１１０が、サービスネットワーク１２０により、サービスネットワーク１２０と１３０とに同時に登録されることを意味する“結合ＥＰＳ/ＩＭＳＩアタッチ”、あるいは、 “ＥＵＴＲＡＮアタッチ ＋ １ｘＲＴＴ ＣＳ登録”の結合アタッチタイプを用いて、モバイル通信装置１１０を、サービスネットワーク１２０に登録する (工程５１０)。次に、モバイル通信装置１１０は、TRACKING AREA UPDATE REQUEST メッセージを、サービスネットワーク１２０に送信することにより、結合ＴＡＵ工程を開始する(工程Ｓ５２０)。その後、モバイル通信装置１１０は、サービスネットワーク１２０から、TRACKING AREA UPDATE REJECT メッセージを受信する(工程Ｓ５３０)。
【００３８】
TRACKING AREA UPDATE REJECT メッセージに応答して、タイマーＴ３４１１は、次に、再試行するまで待つ。タイマーＴ３４１１のカウントダウン期間中、モバイル通信装置１１０は、ＣＳＦＢ、あるいは、１ｘＣＳＦＢ呼び出しを生成する一要求を受信する(工程Ｓ５４０)。
【００３９】
その後、タイマーＴ３４１１が期限切れのとき、モバイル通信装置１１０は、TRACKING AREA UPDATE REQUEST メッセージを、サービスネットワーク１２０に送信することにより、結合ＴＡＵ工程を再試行する(工程Ｓ５５０)。その後、モバイル通信装置１１０は、サービスネットワーク１２０から、値＃９、＃１０、あるいは、＃４０の拒絶理由を有する TRACKING AREA UPDATE REJECT メッセージを受信する(工程Ｓ５６０)。
【００４０】
＃９、＃１０、あるいは、＃４０の値の拒絶理由のため、モバイル通信装置１１０は、サービスネットワーク１２０で留まって、アタッチ工程を実行する代わりに、サービスネットワーク１３０を選択して、ＣＳＦＢ、あるいは、１ｘＣＳＦＢ呼び出しを実行する(工程Ｓ５７０)。
【００４１】
その後、モバイル通信装置１１０は、サービスネットワーク１２０と１３０とのＣＳＦＢ、あるいは、１ｘＣＳＦＢのコールフローを実行する(工程Ｓ５８０)。
【００４２】
図６は、本発明の一実施形態による結合ＴＡＵ工程におけるＭＴ ＣＳＦＢ呼び出しの処理を説明するメッセージシーケンスチャートである。この実施形態において、サービスネットワーク１２０は、ＬＴＥベースネットワークであり、サービスネットワーク１３０は、ＧＳＭ／ＧＰＲＳ／ＥＤＧＥ／ＷＣＤＭＡネットワークである。初めに、サービスネットワーク１２０により、モバイル通信装置１１０が、サービスネットワーク１２０と１３０とに同時に登録されることを意味する結合アタッチタイプ “結合ＥＰＳ／ＩＭＳＩアタッチ”を用いて、モバイル通信装置１１０を、サービスネットワーク１２０に登録する(工程６１０)。次に、サービスネットワーク１２０は、ＣＳＦＢ呼び出しをモバイル通信装置１１０に生成する一要求を受信する(工程Ｓ６２０)。
【００４３】
サービスネットワーク１２０が、ＣＳＦＢ呼び出し要求を受信するのとほぼ同時に、モバイル通信装置１１０は、TRACKING AREA UPDATE REQUEST メッセージを、サービスネットワーク１２０に送信することにより、結合ＴＡＵ工程を開始する(工程Ｓ６３０)。
【００４４】
この実施形態において、モバイル通信装置１１０の状態は、ＥＭＭ-ＩＤＬＥモードであるので、要求に応じて、サービスネットワーク１２０は、“ＣＳ”に設定されたＣＮドメインインジケータを有するページングメッセージを、モバイル通信装置１１０に送信する(工程Ｓ６４０)。
【００４５】
注意すべきことは、空中で伝達するのに必要な時間のため、結合ＴＡＵ工程がすでに開始された後、モバイル通信装置１１０がページングメッセージを受信することである。よって、結合ＴＡＵ工程が進行中なので、ＣＳＦＢ呼び出しは保留である(つまり、ＣＳＦＢ呼び出しはペンディングである)。
【００４６】
その後、モバイル通信装置１１０は、サービスネットワーク１２０から、＃９、＃１０、あるいは、＃４０の値の拒絶理由を有するTRACKING AREA UPDATE REJECT メッセージを受信する(工程Ｓ６５０)。
【００４７】
＃９、＃１０、あるいは、＃４０の値の拒絶理由のため、モバイル通信装置１１０は、サービスネットワーク１２０で留まって、アタッチ工程を実行する代わりに、サービスネットワーク１３０を選択して、ＣＳＦＢ呼び出しを実行する(工程Ｓ６６０)。
【００４８】
その後、モバイル通信装置１１０は、サービスネットワーク１２０と１３０とのＣＳＦＢ、あるいは、１ｘＣＳＦＢのコールフローを実行する (工程Ｓ６７０)。
【００４９】
図７は、本発明の別の実施形態による結合ＴＡＵ工程におけるＭＴ ＣＳＦＢ呼び出しの処理を説明するメッセージシーケンスチャートである。この実施形態において、サービスネットワーク１２０は、ＬＴＥベースネットワークであり、サービスネットワーク１３０は、ＧＳＭ／ＧＰＲＳ／ＥＤＧＥ／ＷＣＤＭＡネットワークである。初めに、サービスネットワーク１２０により、モバイル通信装置１１０が、サービスネットワーク１２０と１３０とに同時に登録されることを意味する結合アタッチタイプ “結合ＥＰＳ／ＩＭＳＩアタッチ”を用いて、モバイル通信装置１１０を、サービスネットワーク１２０に登録する (工程７１０)。次に、モバイル通信装置１１０は、TRACKING AREA UPDATE REQUEST メッセージを、サービスネットワーク１２０に送信することにより、結合ＴＡＵ工程を開始する(工程Ｓ７２０)。
【００５０】
サービスネットワーク１２０が、TRACKING AREA UPDATE REQUEST メッセージに応答する前、ＣＳＦＢ呼び出しをモバイル通信装置１１０に生成する一要求を受信する(工程Ｓ７３０)。この実施形態において、モバイル通信装置１１０の状態はＥＭＭ-CONNECTED モードであるので、要求に応じて、サービスネットワーク１２０は、CS SERVICE NOTIFICATION メッセージをモバイル通信装置１１０に送信する(工程Ｓ７４０)。 
【００５１】
その後、モバイル通信装置１１０は、サービスネットワーク１２０から、＃９、＃１０、あるいは、＃４０の値の拒絶理由を有するTRACKING AREA UPDATE REJECT メッセージを受信する(工程Ｓ７５０)。
【００５２】
＃９、＃１０、あるいは、＃４０の値の拒絶理由のため、モバイル通信装置１１０は、サービスネットワーク１２０で留まって、アタッチ工程を実行する代わりに、サービスネットワーク１３０を選択して、ＣＳＦＢ呼び出しを実行する(工程Ｓ７６０)。
【００５３】
その後、モバイル通信装置１１０は、サービスネットワーク１２０と１３０とのＣＳＦＢ、あるいは、１ｘＣＳＦＢのコールフローを実行する (工程Ｓ７７０)。
【００５４】
図８は、本発明のさらに別の実施形態による結合ＴＡＵ工程におけるＭＴ ＣＳＦＢ呼び出しの処理を説明するメッセージシーケンスチャートである。この実施形態において、サービスネットワーク１２０は、ＬＴＥベースネットワークであり、サービスネットワーク１３０は、ＧＳＭ／ＧＰＲＳ／ＥＤＧＥ／ＷＣＤＭＡネットワークである。初めに、サービスネットワーク１２０により、モバイル通信装置１１０が、サービスネットワーク１２０と１３０に同時に登録されることを意味する結合アタッチタイプ “結合ＥＰＳ／ＩＭＳＩアタッチ”を用いて、モバイル通信装置１１０を、サービスネットワーク１２０に登録する(工程Ｓ８１０)。次に、モバイル通信装置１１０は、TRACKING AREA UPDATE REQUEST メッセージを、サービスネットワーク１２０に送信することにより、結合ＴＡＵ工程を開始する(工程Ｓ８２０)。その後、モバイル通信装置１１０は、サービスネットワーク１２０から、TRACKING AREA UPDATE REJECT メッセージを受信する(工程Ｓ８３０)。
【００５５】
TRACKING AREA UPDATE REJECT メッセージに対応して、タイマーＴ３４１１は、次に、再試行するまで待つ。タイマーＴ３４１１のカウントダウン期間中、サービスネットワーク１２０は、ＣＳＦＢ呼び出しを生成する一要求を受信し(工程Ｓ８４０)、この実施形態において、モバイル通信装置１１０の状態は、ＥＭＭ-ＩＤＬＥモードであるので、その後、 “ＣＳ”に設定されたＣＮドメインインジケータを有するページングメッセージを、モバイル通信装置１１０に送信する(工程Ｓ８５０)。 
【００５６】
その後、タイマーＴ３４１１が期限切れのとき、モバイル通信装置１１０は、TRACKING AREA UPDATE REQUEST メッセージを、サービスネットワーク１２０に送信することにより、結合ＴＡＵ工程を再試行する(工程Ｓ８６０)。 その後、モバイル通信装置１１０は、サービスネットワーク１２０から、 ＃９、＃１０、あるいは、＃４０の値の拒絶理由を有するTRACKING AREA UPDATE REJECT メッセージを受信する(工程Ｓ８７０)。
【００５７】
＃９、＃１０、あるいは、＃４０の値の拒絶理由のため、モバイル通信装置１１０は、サービスネットワーク１２０で留まって、アタッチ工程を実行する代わりに、サービスネットワーク１３０を選択して、ＣＳＦＢ呼び出しを実行する(工程Ｓ８８０)。
【００５８】
その後、モバイル通信装置１１０は、サービスネットワーク１２０と１３０とのＣＳＦＢ、あるいは、１ｘＣＳＦＢのコールフローを実行する (工程Ｓ８９０)。
【００５９】
図９は、本発明の一実施形態による結合ＴＡＵ工程におけるＭＴ １ｘＣＳＦＢ呼び出しの処理を説明するメッセージシーケンスチャートである。この実施形態において、サービスネットワーク１２０はＬＴＥベースネットワークであり、サービスネットワーク１３０は、ＣＤＭＡ２０００ １ｘ ネットワークである。初めに、サービスネットワーク１２０により、モバイル通信装置１１０が、サービスネットワーク１２０と１３０とに同時に登録されることを意味する結合アタッチタイプ “ＥＵＴＲＡＮ アタッチ ＋ １ｘＲＴＴ ＣＳ 登録”を用いて、モバイル通信装置１１０を、サービスネットワーク１２０に登録する(工程９１０)。次に、モバイル通信装置１１０は、TRACKING AREA UPDATE REQUEST メッセージを、サービスネットワーク１２０に送信することにより、結合ＴＡＵ工程を開始する(工程Ｓ９２０)。
【００６０】
サービスネットワーク１２０が、TRACKING AREA UPDATE REQUEST メッセージに応答する前、１ｘＣＳＦＢ呼び出しを、モバイル通信装置１１０に生成する一要求を受信する(工程Ｓ９３０)。要求に応じて、サービスネットワーク１２０は、１ｘＲＴＴ ＣＳページングメッセージを、モバイル通信装置１１０に送信する(工程Ｓ９４０)。
【００６１】
その後、モバイル通信装置１１０は、サービスネットワーク１２０から、＃９、＃１０、あるいは、＃４０の値の拒絶理由を有するTRACKING AREA UPDATE REJECT メッセージを受信する(工程Ｓ９５０)。
【００６２】
＃９、＃１０、あるいは、＃４０の値の拒絶理由のため、モバイル通信装置１１０は、サービスネットワーク１２０で留まって、アタッチ工程を実行する代わりに、サービスネットワーク１３０を選択して、１ｘＣＳＦＢ呼び出しを実行する(工程Ｓ９６０)。
【００６３】
その後、モバイル通信装置１１０は、サービスネットワーク１２０と１３０との１ｘＣＳＦＢのコールフローを実行する(工程Ｓ９７０)。
【００６４】
注意すべきことは、図６〜図９の実施形態において、ＣＳＦＢ/１ｘＣＳＦＢ呼び出しに対する要求が、サービスネットワーク１２０により受信される前、サービスネットワーク１２０と１３０間に別のシグナリング通信があることである。しかし、本発明の範囲を超過するので、ここでは、簡潔にするために、それらのシグナリング通信の詳細な記述を省略するとともに、3GPP TS 23.272, v13.1.0を参照する。
【００６５】
図３〜図９の前述の実施形態において、本発明は、ＵＥが、ＣＳサービスを提供できる別のネットワークを選択して、ＰＳ-オンリーネットワークに再アタッチするのを代替することにより、結合ＴＡＵ工程期間中のＣＳＦＢ/１ｘＣＳＦＢ呼設定時間を減少させ、ＴＡＵ工程期間中は、９、１０、あるいは、４０の原因値の拒絶状況が存在する。有利なことは、ＰＳ-オンリーネットワークに再アタッチするのに費やされる時間が節約され、ＣＳＦＢ/１ｘＣＳＦＢ呼び出しが快速に実行される。
【００６６】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００６７】
１１０…モバイル通信装置
１２０、１３０…サービスネットワーク
１０…無線トランシーバ
１１…ＲＦ装置
１２…ベースバンド処理装置
２０…コントローラ
３０…ストレージデバイス
４０…ディスプレイデバイス
５０…入力装置
【図１】
0006496035.tif 000002
【図２】
0006496035.tif 000003
【図３】
0006496035.tif 000004
【図４】
0006496035.tif 000005
【図５】
0006496035.tif 000006
【図６】
0006496035.tif 000007
【図７】
0006496035.tif 000008
【図８】
0006496035.tif 000009
【図９】
0006496035.tif 000010